(57)【要約】【課題】扉体の構成を簡素化でき、扉体の強度向上等を図ることができる蝶番を備えた電気機器収納用箱体を提供する。【解決手段】各種電気機器を収納するキャビネット本体３と、該キャビネット本体３の開口を開放／閉塞する扉体２と、該扉体２を開放姿勢と閉塞姿勢との間でキャビネット本体３に対して回動可能に支持する蝶番４とを備えてなるキャビネットにおいて、蝶番４を、キャビネット本体３に固着される下側蝶番６と、該下側蝶番６に対し水平軸を中心として揺動可能に取り付けられる上側蝶番５とからなるものとするとともに、該上側蝶番５に、扉体２の上面に穿設された挿入孔８に挿入可能なピン１１を突設し、上側蝶番５を、ピン１１が挿入孔８に挿入される取付位置（図２（ａ））と、ピン１１が挿入孔８から抜き取られる脱却位置（図２（ｂ））との間で揺動操作することによって、扉体２をキャビネット本体３に対して着脱可能とした。【選択図】図２
2007252041.tif 000002
【特許請求の範囲】
【請求項１】
各種電気機器を収納する箱体本体と、該箱体本体に開設された開口を開放／閉塞する扉体と、該扉体を開放姿勢と閉塞姿勢との間で前記箱体本体に対して回動可能に支持する蝶番とを備えてなる電気機器収納用箱体であって、
前記蝶番を、前記箱体本体に固着される下側蝶番と、該下側蝶番に対して水平軸を中心として揺動可能に取り付けられる上側蝶番とからなるものとするとともに、該上側蝶番に、前記扉体の上面に穿設された挿入孔に挿入可能なピンを突設し、
前記上側蝶番を、前記ピンが前記挿入孔に挿入される取付位置と、前記ピンが前記挿入孔から抜き取られる脱却位置との間で揺動操作することによって、前記扉体を前記箱体本体に対して着脱可能としたことを特徴とする電気機器収納用箱体。
【請求項２】
上側蝶番に、閉塞姿勢にある扉体の上方に位置するフランジを設けており、扉体が閉塞姿勢にある場合には、前記フランジが前記扉体の上面に干渉することによって前記上側蝶番の揺動操作が規制されることを特徴とする請求項１に記載の電気機器収納用箱体。
【請求項３】
下側蝶番に、取付位置にある上側蝶番の少なくとも一部を係止可能な係止部を設けたことを特徴とする請求項１又は２に記載の電気機器収納用箱体。
【発明の詳細な説明】
【技術分野】
【０００１】
本発明は、たとえば分電盤や配電盤、制御盤等の各種電気機器を収納するための電気機器収納用箱体に関するものである。
【背景技術】
【０００２】
従来より、各種電気機器を収納するための電気機器収納用箱体（以下、キャビネットと称す）本体に対して扉体を開閉自在に支持する蝶番構造に関し、たとえば特許文献１や特許文献２に開示されているような種々の考案がなされている。
【０００３】
【特許文献１】特開２００２−１４７０９７号公報
【特許文献２】特開２００２−４６９５号公報
【０００４】
ここで、従来より周知である代表的な蝶番構造について図７及び８を基に説明する。図７は、従来の蝶番構造の一例を示した説明図であり、図８は、従来の蝶番構造の別例を示した説明図である。尚、図示の蝶番構造は、扉体の上部を支持するものであって、扉体の下部は、キャビネット本体側から突出する軸により軸支されている。
図７に示されている蝶番構造は、正面に開口を有するキャビネット本体５１の開口縁に扉体５２を回動自在に支持するためのものであって、キャビネット本体５１の開口縁に固着される本体側蝶番５３と、扉体５２側に固着される扉体側蝶番５４とを備えてなる。本体側蝶番５３は、キャビネット本体５１の開口縁から前方へと突出する腕部５５の先端に筒状の保持部５６を設けたものである。また、扉体側蝶番５４は、ボルト５７、５７にて扉体５２の支持側端部に固着されたものであって、バネ部材（図示しない）により下方へと付勢された可動ピン５８を備えている。該本体側蝶番５３と扉体側蝶番５４とを備えてなる蝶番構造によれば、扉体側蝶番５４の可動ピン５８を付勢力に抗して上方へ引き上げ、扉体側蝶番５４を本体側蝶番５３の上方にあてがい、その保持部５６内へ可動ピン５８を挿入することによって、扉体５２をキャビネット本体５１に対して回動可能に支持することができる。また、扉体５２をキャビネット本体５１から取り外す場合には、扉体５２を開放した状態で、可動ピン５８を引き上げて保持部５６から抜き取ればよい。尚、扉体５２の支持側端部には、その端縁を後方へ折り曲げ、さらに扉体５２内側へと折り返す折り曲げ加工が施されており、該折り曲げ部及び折返し部には、本体側蝶番５３を嵌入可能な切り欠き５９が設けられている。
【０００５】
一方、図８に示されている蝶番構造は、扉体６２の支持側端部にボルト６７、６７によって固着されたヒンジ装置６６を有するものであって、該ヒンジ装置６６には、バネ部材（図示しない）により上方へ付勢された可動ピン６５が備えられている。また、キャビネット本体６１の開口周縁に枠体６３が設置されており、枠体６３の下面には、可動ピン６５の先端６８を挿入可能な挿入孔６４が穿設されている。該蝶番構造によれば、可動ピン６５を付勢力に抗して引き下げた状態で扉体６２を枠体６３の下方にあてがい、可動ピン６５の先端６８を挿入孔６４へ挿入することによって、扉体６２をキャビネット本体６１に対して回動可能に支持することができる。また、扉体６２を取り外したい場合には、扉体６２を開放した状態で可動ピン６５を引き下げ、挿入孔６４から抜き取ればよい。尚、扉体６２の支持側端部にも折り曲げ加工が施されており、折返し部には、可動ピン６５の引き下げ動作を行うため切り欠き６９が設けられている。
【発明の開示】
【発明が解決しようとする課題】
【０００６】
図７及び８に示されているように、従来より周知の蝶番構造では、扉体に扉体側蝶番やヒンジ装置等を設置する構成を採用している。したがって、扉体に、扉体側蝶番やヒンジ装置を設置するための設置スペース、ボルト孔、及び切り欠き等を設けなければならず、扉体の加工が煩雑であった。また、扉体の折り曲げ部及び折返し部内に扉体側蝶番やヒンジ装置を設置しなければならないため、その設置作業が煩わしかった。さらに、扉体の支持側端部に折り曲げ加工を施しているにも拘わらず、折り曲げ部や折返し部に切り欠きを設けなければならないため、所望の強度が得られないという課題もある。
【０００７】
そこで、本発明は、上記課題に鑑みなされたものであって、扉体の構成を簡素化でき、扉体の強度向上等を図ることができる蝶番を備えた電気機器収納用箱体を提供しようとするものである。
【課題を解決するための手段】
【０００８】
上記目的を達成するために、本発明のうち請求項１に記載の発明は、各種電気機器を収納する箱体本体と、該箱体本体に開設された開口を開放／閉塞する扉体と、該扉体を開放姿勢と閉塞姿勢との間で前記箱体本体に対して回動可能に支持する蝶番とを備えてなる電気機器収納用箱体であって、前記蝶番を、前記箱体本体に固着される下側蝶番と、該下側蝶番に対して水平軸を中心として揺動可能に取り付けられる上側蝶番とからなるものとするとともに、該上側蝶番に、前記扉体の上面に穿設された挿入孔に挿入可能なピンを突設し、前記上側蝶番を、前記ピンが前記挿入孔に挿入される取付位置と、前記ピンが前記挿入孔から抜き取られる脱却位置との間で揺動操作することによって、前記扉体を前記箱体本体に対して着脱可能としたことを特徴とする。
請求項２に記載の発明は、請求項１の発明において、上側蝶番に、閉塞姿勢にある扉体の上方に位置するフランジを設けており、扉体が閉塞姿勢にある場合には、前記フランジが前記扉体の上面に干渉することによって前記上側蝶番の揺動操作が規制されることを特徴とする。
請求項３に記載の発明は、請求項１又は２の発明において、下側蝶番に、取付位置にある上側蝶番の少なくとも一部を係止可能な係止部を設けたことを特徴とする。
【発明の効果】
【０００９】
本発明によれば、扉体に穿設された挿入孔へ上側蝶番のピンを挿入することによって、箱体本体に対して扉体を取付可能としているため、扉体に設ける箱体本体への取付構造としては挿入孔だけでよい。したがって、扉体の構造を簡素化することができる上、従来の如く扉体の周縁に設けた折り曲げ加工部に切り欠き等を設けなくてもよいため、扉体の強度を向上させることができる。また、蝶番を、上側蝶番を下側蝶番に対して水平軸を中心として揺動可能に設けたものとし、上側蝶番の揺動操作によって、扉体の着脱を行うようにしている。したがって、扉体の着脱作業が容易であり、使い勝手が良い。
さらに、請求項２に記載の発明によれば、上側蝶番に、閉塞姿勢にある扉体の上方に位置するフランジを設け、扉体が閉塞姿勢にある場合には、該フランジと扉体の上面とが干渉して上側蝶番の揺動操作を規制するようにしている。したがって、扉体により箱体本体の開口を閉塞している際に、上側蝶番を誤って揺動操作してしまうおそれもなく、扉体が不用意に外れたりする心配がない。
さらにまた、請求項３に記載の発明によれば、下側蝶番に、取付位置にある上側蝶番の少なくとも一部を係止可能な係止部を設けているため、取付位置にて（すなわち、扉体の取付状態にて）、上側蝶番がぐらついたりせず、扉体を箱体本体に対してより強固に取り付けることができる。
【発明を実施するための最良の形態】
【００１０】
以下、本発明の一実施形態となるキャビネットについて図面を基に説明する。
図１は、扉体２が開放姿勢にあるキャビネット１を示した斜視説明図であり、図２は、扉体２を着脱する際の蝶番４の動作について示した説明図である。また、図３は蝶番４を示した説明図、図４は上側蝶番５を示した説明図、図５は下側蝶番６を示した説明図であり、図３〜図５において夫々（ａ）は平面図、（ｂ）は正面図、（ｃ）は右側面図である。さらに、図６は、扉体２が閉塞姿勢にあるキャビネット１の蝶番４部を拡大して示した説明図である。
【００１１】
キャビネット１は、正面側に開口を有するキャビネット本体３と、その開口を開閉する扉体２とからなるものである。扉体２は、キャビネット本体３の開口縁に鉛直方向を軸として回動自在に取り付けられるものであって、その取付側上面には、後述する蝶番４のピン１１を挿入可能な挿入孔８が穿設されている。また、扉体２の取付側下面には、図示しない挿入孔が設けられており、キャビネット本体３下部から上方へ突設された軸ピン（図示しない）を挿入可能としている。さらに、扉体２の周縁には、図２に示す如く、背面側へと立ち上げ、扉体２内側へと折り返した後、更に正面側へと折り曲げるといった折り曲げ加工が施されている。
また、キャビネット本体３の開口周縁には、支持壁９が開口周縁に沿って前方へと立設されている。さらに、開口縁の各隅部には、蝶番４等を固着するための複数のボルト孔１０、１０・・が穿設されている。尚、扉体２取付側の下隅部には、上記軸ピンを備えた軸部材３０がボルトにより取り付けられている。
【００１２】
さらにまた、４は、扉体２の上部とキャビネット本体３とを連結する蝶番であって、上側蝶番５と下側蝶番６とを備えており、ボルト７によってキャビネット本体３の扉体２取付側の上隅部に固着されている。ここで、上側蝶番５及び下側蝶番６について図３〜図５を基に説明する。
上側蝶番５は、薄板状部材を断面Ｌ字状に形成してなるものであって、左右方向に長い本体１２の上端には、前方へ突出するフランジ１３が一体的に設けられている。該フランジ１３の右端部には、扉体２の挿入孔８に挿入可能なピン１１が下方へ突設されている。また、本体１２の略中央には、下側蝶番６と連結するためのリベット２０を挿通可能なリベット孔１５が穿設されている。さらに、本体１２の右側は、背面側へ段差を付けられた凹部１４として形成されている。さらにまた、本体１２の左側（リベット孔１５よりも左側）は、下端が左上がりの傾斜状に形成されており、後述するように下側蝶番６の基フランジ２２に当接する当接部１６として機能する。加えて、本体１２の左側で当接部１６とリベット孔１５との間には、下側蝶番６を取り付けるボルト７の干渉をさけるべく、切り欠き１７が設けられている。
【００１３】
一方、下側蝶番６は、上側蝶番５同様に、薄板状部材を断面Ｌ字状に形成してなるものであって、左右方向に上側蝶番５と略同様の長さを有する本体２１の下端には、前方へ突出する基フランジ２２が一体的に設けられている。また、本体２１には、リベット２０を取付可能なリベット取付部２３が設けられているとともに、ボルト７を挿通可能な固着孔２４が穿設されている。さらに、本体２１の右側には、腕部２５が一体的に延設されており、該腕部２５には、本体２１よりも上記段差（上側蝶番５の凹部１４が有する段差）と略同じ高さだけ正面側へ段差を付けられた係止部２６が一体的に設けられている。
【００１４】
上述したような上側蝶番５と下側蝶番６とからなる蝶番４のキャビネット本体３への取付方法、及び作用について説明する。
まず、上側蝶番５を下側蝶番６の前方側に位置させた状態で、リベット２０により上側蝶番５の本体１２と下側蝶番６の本体２１とを連結する。該連結状態にあっては、上側蝶番５が、上側蝶番５のピン１１を扉体２の挿入孔８内に挿入可能な取付位置と、上側蝶番５のピン１１を扉体２の挿入孔８から抜き取り可能な脱却位置との間で、下側蝶番６に対し水平軸を中心として揺動可能となっている。このようにして組み立てられた蝶番４は、基フランジ２２を支持壁９の上面に当接させた状態で、ボルト７を固着孔２４を介してキャビネット本体３の所定のボルト孔１０に螺入することにより、キャビネット本体３の開口縁に固着される。尚、図２に示す如く、上記取付位置にあっては、上側蝶番５の凹部１４が下側蝶番６の係止部２６に係止された状態となる一方、脱却位置にあっては、上側蝶番５の当接部１６が下側蝶番６の基フランジ２２に当接した状態となる。
【００１５】
そして、キャビネット本体３の開口縁に取り付けられた蝶番４の上側蝶番５を脱却位置まで揺動させた状態で、下部を軸部材３０に軸支させた扉体２を開放姿勢で蝶番４の右側方にあてがった後、上側蝶番５を取付位置まで揺動させ、扉体２の挿入孔８に上側蝶番５のピン１１を挿入して、扉体２をキャビネット本体３に取り付ける。一方、扉体２を取り外す場合には、扉体２を開放姿勢とした後、上側蝶番５を脱却位置まで揺動させれば、ピン１１が挿入孔８から上方へ抜き取られ、扉体２を取り外すことができる。尚、扉体２が閉塞姿勢である場合には、図６に示すように、上側蝶番５のフランジ１３が扉体２の上面の上方に位置し、上側蝶番５の揺動操作が規制された状態となる。したがって、扉体２を取り外す場合には、扉体２を開放姿勢としなければならない（逆に、扉体２が閉塞姿勢にある場合には、扉体２を取り外すことはできない）。
【００１６】
以上のような蝶番４によれば、扉体２の挿入孔８へピン１１を挿入することによって、扉体２を取付可能としているため、扉体２に設けるキャビネット本体３への取付構造としては挿入孔８だけでよい。したがって、扉体２の構造を簡素化することができる上、従来の如く扉体２の周縁に設けた折り曲げ加工部に切り欠き等を設けなくてもよいため、扉体２の強度を向上させることができる。
【００１７】
また、上側蝶番５を下側蝶番６に対し水平軸を中心として揺動可能に設けており、上側蝶番５の揺動操作によって、扉体２の着脱を行うことができる。したがって、扉体２の着脱作業が容易であり、使い勝手が良い。さらに、上側蝶番５に、閉塞姿勢にある扉体２の上方に位置するフランジ１３を設けているため、扉体２が閉塞姿勢にある場合には、該フランジ１３によって上側蝶番５の揺動操作が規制される。したがって、扉体２によりキャビネット本体３の開口を閉塞している際に、上側蝶番５を誤って揺動操作してしまうおそれもなく、扉体２が不用意に外れたりする心配がない。
【００１８】
さらにまた、下側蝶番６に前方へ段差を付けられた係止部２６を設けており、取付位置にある上側蝶番５の凹部１４を該係止部２６に係止可能としている。したがって、取付位置にて（すなわち、扉体２の取付状態にて）、上側蝶番５がぐらついたりせず、扉体２をキャビネット本体３に対してより強固に取り付けることができる。
またさらに、下側蝶番６に基フランジ２２を設けており、該基フランジ２２に上側蝶番５の当接部１６が当接した際に、上側蝶番５が脱却位置に位置するようにしている。したがって、上側蝶番５を、脱却位置を越えて必要以上に揺動させてしまう心配がなく、使い勝手が良い。加えて、下側蝶番６を、キャビネット本体３の支持壁９に基フランジ２２を当接させた状態で取り付けることができるため、取付状態にある蝶番４の安定性を向上させることができる。
【００１９】
なお、本発明の蝶番構造に係る構成は、上記実施形態の態様に何ら限定されるものではなく、キャビネット本体、扉体、上側蝶番、及び下側蝶番等に係る構成ついて、本発明の趣旨を逸脱しない範囲で、必要に応じて適宜変更することができる。
【００２０】
たとえば、下側蝶番に、上側蝶番の当接部が当接する基フランジを設ける代わりに、上側蝶番が脱却位置に位置する際に上側蝶番の当接部が係合する係合部（たとえば、係止部と同様な構成を備えたもの等が考えられる）を設けてもよい。該係合部であっても、上側蝶番の必要以上の揺動操作を規制可能といった上記効果と同様の効果を奏することができる。
【００２１】
また、下側蝶番のキャビネット本体への固着が十分に強固である場合等には、基フランジを設けないようにしても何ら問題はない。さらに、上記実施の形態では、１つのボルトにてキャビネット本体へ固着するようにしているが、複数のボルトで固着しても何ら問題はなく、複数のボルトによる固着を行いたい場合には、下側蝶番の左右方向長さを上側蝶番よりも長く形成することによって、その余りしろに第二のボルト孔等を設けるようにすることも考えられる。
加えて、上記実施の形態の蝶番を、扉体下部とキャビネット本体との連結に用いることも当然可能である。
【図面の簡単な説明】
【００２２】
【図１】扉体が開放姿勢にあるキャビネットを示した斜視説明図である。
【図２】扉体を着脱する際の蝶番の動作について示した説明図である。
【図３】蝶番を示した説明図であって、（ａ）は平面図、（ｂ）は正面図、（ｃ）は右側面図である。
【図４】上側蝶番を示した説明図であって、（ａ）は平面図、（ｂ）は正面図、（ｃ）は右側面図である。
【図５】下側蝶番を示した説明図であって、（ａ）は平面図、（ｂ）は正面図、（ｃ）は右側面図である。
【図６】扉体が閉塞姿勢にあるキャビネットの蝶番部を拡大して示した説明図である。
【図７】従来の蝶番構造の一例を示した説明図である。
【図８】従来の蝶番構造の別例を示した説明図である。
【符号の説明】
【００２３】
１・・キャビネット、２・・扉体、３・・キャビネット本体、４・・蝶番、５・・上側蝶番、６・・下側蝶番、７・・ボルト、８・・挿入孔、９・・支持壁、１０・・ボルト孔、１１・・ピン、１２・・本体（上側蝶番）、１３・・フランジ、１４・・凹部、１５・・リベット孔、１６・・当接部、１７・・切り欠き、２０・・リベット、２１・・本体（下側蝶番）、２２・・基フランジ、２３・・リベット取付部、２４・・固着孔、２５・・腕部、２６・・係止部。
【図１】
2007252041.tif 000003
【図２】
2007252041.tif 000004
【図３】
2007252041.tif 000005
【図４】
2007252041.tif 000006
【図５】
2007252041.tif 000007
【図６】
2007252041.tif 000008
【図７】
2007252041.tif 000009
【図８】
2007252041.tif 000010